(57)【要約】【課題】部品点数が少なく、取付作業を容易に行うことができ、かつ異なる寸法の棒状材に対応できる取付金具を提供する。【解決手段】取付金具１００は、金具本体１０と、締め付け手段２０とを備える。金具本体１０は、第一板状部１１、該第一板状部１１に対して略平行に位置する第二板状部１２、および第一板状部１１と第二板状部１２を連結する連結部１３を有し断面略コ字形状に形成され、第一板状部１１および第二板状部１２の対向する両端に連結部１３側の中央に向かって傾斜する一対の傾斜部１１ａ，１１ｂ，１２ａ，１２ｂを有する。締め付け手段２０は、一対の締め付け部材２１，２２と、ボルト２３と、ナット２４とからなり、締め付け部材２１，２２は、ネジ締めにより傾斜部１１ａ，１１ｂ，１２ａ，１２ｂに沿って移動し、金具本体１０の内側に嵌め込まれた寸切りボルトＢに締め付け金具本体１０を固定させる。【選択図】      図１
2010278673.tif 000002
【特許請求の範囲】
【請求項１】
棒状材に着脱自在に緊結される取付金具であって、
第一板状部、該第一板状部に対して略平行に位置する第二板状部、および前記第一板状部と第二板状部を連結する連結部を有し断面略コ字形状に形成され、前記第一板状部および第二板状部の対向する両端に前記連結部側の中央に向かって傾斜する一対の傾斜部を有する金具本体と、
ネジ締めにより前記傾斜部に沿って移動し、前記金具本体の内側に嵌め込まれた前記棒状材に締め付け前記金具本体を固定させる締め付け手段とを備えることを特徴とする取付金具。
【請求項２】
前記締め付け手段は、ボルトと、ナットと、前記ボルトが挿通され、前記傾斜部に沿って移動可能なスライド部および締め付け刃を有する一対の締め付け部材とからなることを特徴とする請求項１に記載の取付金具。
【請求項３】
前記締め付け部材は、樹脂から成型されたスライド部に金属製の締め付け刃が設けられてからなることを特徴とする請求項２に記載の取付金具。
【請求項４】
前記金具本体の第一板状部および第二板状部の対向する両端に外側へ前記第一板状部および第二板状部に対して９０度に折り曲げられた板装着部を有することを特徴とする請求項１ないし３のいずれかに記載の取付金具。
【請求項５】
前記金具本体の第一板状部または第二板状部には、被取付物を取り付けるための取付穴が設けられていることを特徴とする請求項１ないし４のいずれかに記載の取付金具。
【発明の詳細な説明】
【技術分野】
【０００１】
本発明は、取り付ける対象である棒状材に着脱自在に緊結される取付金具に関し、特に、天井吊り下げ用寸切りボルトに簡単に取り付けられ、携帯電話やモバイル型パーソナルコンピュータ等が通信するためのアンテナや通信機器を設置することができる取付金具に関するものである。
【背景技術】
【０００２】
携帯電話やモバイル型パーソナルコンピュータ等が通信するためのアンテナや通信機器は、主に電波の届きにくい場所、例えばビル内、地下駐車場、地下鉄構内などに設置する際に、天井裏のスペースを利用して天井吊り下げ用寸切りボルトに設置する場合が多い。
【０００３】
従来、寸切りボルト用取付金具は、図１１に示すように、Ｌ型に曲げられた板１と、コの字形に形成され、端縁に円弧状の切り込みが設けられるクランプ２と、少なくとも２つのネジ３とから構成される。
【０００４】
図１１（ａ）は、板１を水平に取り付ける場合を示している。図１１（ａ）に示すように、アンテナや通信機器を設置するための板１を水平に取り付ける場合は、Ｌ型に曲げられた板１に取り付け用穴１ａを設け、また、コの字形に形成され、端縁に円弧状の切り込みが設けられるクランプ２にも取り付け用穴を設け、板１とクランプ２で寸切りボルトＢを挟むように配置してネジ３で締め付け固定する。
【０００５】
図１１（ｂ）は、板１を垂直に取り付ける場合を示している。図１１（ｂ）に示すように、アンテナや通信機器を設置するための板１を垂直に取り付ける場合は、Ｌ型に曲げられた板１に取り付け用穴１ａを４つ設け、また、コの字形に形成され、端縁に円弧状の切り込みが設けられるクランプ２を２つ用いて、２箇所において板１とクランプ２で寸切りボルトＢを挟むように配置してネジ３で締め付け固定する。
【０００６】
また、アンテナを取り付ける対象が丸棒であっても安定に取り付けができるアンテナ取付金具が提案されている（例えば、特許文献１参照）。
【０００７】
特許文献１に開示のアンテナ取付金具は、２つの取付板でベランダ手すりの格子等を挟み、その取付板の一方にアンテナを保持するポールを固着してＢＳアンテナ等をベランダ手すり等に取り付けるアンテナ取付金具において、取付板の少なくとも一方の板面に溝状の凹部を設けるものである。
【先行技術文献】
【特許文献】
【０００８】
【特許文献１】特開平９−８３２２５号公報
【発明の概要】
【発明が解決しようとする課題】
【０００９】
しかしながら、上記した従来の取付金具は、部品点数が多いため、取付作業が繁雑で作業効率が悪い欠点があった。特に、天井裏の吊り下げ用寸切りボルトに設置する場合は、天井裏のスペースが狭く、取付作業が困難である。また、２つのネジの締め具合が同一にならないため、板とクランプ間の距離が異なり、締め付け力が不均一である問題点があった。また、取り付ける対象である吊り下げ用寸切りボルトの径寸法が異なる場合、取付金具も対応するサイズのものを選択しなければならないという問題点があった。
【００１０】
また、図１１（ａ）に示すように板を水平に取り付けて板が横に長く出した場合は、アンテや通信機器等装着後にたるみがでる問題点があった。また、図１１（ｂ）に示すように板を垂直に取り付ける場合は、少なくとも２箇所を固定する必要があるため、取付作業がさらに困難である。
【００１１】
また、特許文献１に記載のアンテナ取付金具の場合は、４つの取付ネジが必要のため、取付作業が困難である。天井吊り下げ用寸切りボルトに設置する場合には適しない。
【００１２】
そこで、本発明は、部品点数が少なく、取付作業を容易に行うことができ、かつ寸法の違う棒状材に対応できる取付金具を提供することを目的とする。
【課題を解決するための手段】
【００１３】
上記課題を解決するため、本発明に係る取付金具は、棒状材に着脱自在に緊結される取付金具であって、第一板状部、該第一板状部に対して略平行に位置する第二板状部、および前記第一板状部と第二板状部を連結する連結部を有し断面略コ字形状に形成され、前記第一板状部および第二板状部の対向する両端に前記連結部側の中央に向かって傾斜する一対の傾斜部を有する金具本体と、ネジ締めにより前記傾斜部に沿って移動し、前記金具本体の内側に嵌め込まれた前記棒状材に締め付け前記金具本体を固定させる締め付け手段とを備えることを特徴とするものである。
【００１４】
例えば、前記締め付け手段は、ボルトと、ナットと、前記ボルトが挿通され、前記傾斜部に沿って移動可能なスライド部および締め付け刃を有する一対の締め付け部材とからなる。
【００１５】
また例えば、前記締め付け部材は、樹脂から成型されたスライド部に金属製の締め付け刃が設けられてからなる。
【００１６】
また例えば、前記金具本体の第一板状部および第二板状部の対向する両端に外側へ前記第一板状部および第二板状部に対して９０度に折り曲げられた板装着部を有する。
【００１７】
また例えば、前記金具本体の第一板状部または第二板状部には、被取付物を取り付けるための取付穴が設けられている。
【発明の効果】
【００１８】
本発明によれば、取付金具は、断面略コ字形状に形成され、第一板状部および第二板状部の対向する両端に連結部側の中央に向かって傾斜する一対の傾斜部を有する金具本体と、ネジ締めにより傾斜部に沿って移動し、金具本体の内側に嵌め込まれた棒状材を締め付け固定させる締め付け手段とを備えることで、部品点数が少なく、締め付けネジを極端に減らし、取付作業を容易に行うことができ、作業効率のアップを図ることができる。かつ異なる寸法の棒状材に対応できる。また、取付位置の調整も容易にできる。
【００１９】
また、締め付け手段は、ボルトと、ナットと、傾斜部を沿って移動可能なスライド部および締め付け刃を有する一対の締め付け部材とからなることで、ボルトを締めることにより取り付ける対象に固定することができる。
【００２０】
また、締め付け部材は、樹脂から成型されたスライド部に金属からなる締め付け刃が設けられてからなることで、取付金具の小型化および量産が容易にできる。
【００２１】
また、金具本体の第一板状部および第二板状部の幅方向の端部に外側へ第一板状部および第二板状部に対して９０度に折り曲げられた板装着部を有することで、アンテナや通信機器を装着する板を水平に設置することができ、かつたるみを防止することができる。
【００２２】
さらに、金具本体の第一板状部または第二板状部には、被取付物を取り付けるための取付穴が設けられていることで、アンテナや通信機器を直接に装着することができる。
【図面の簡単な説明】
【００２３】
【図１】第１の実施の形態の取付金具１００の構成を示す分解図である。
【図２】取付金具１００の締め付け動作を示す図である。
【図３】締め付け後の取付金具１００の上から見た図である。
【図４】取付金具１００の使用例を示す図である。
【図５】第２の実施の形態の取付金具１００Ａの構成を示す斜視図である。
【図６】取付金具１００Ａの使用例を示す斜視図である。
【図７】第３の実施の形態の取付金具１００Ｂの構成を示す斜視図である。
【図８】取付金具１００Ｂの使用例を示す斜視図である。
【図９】締め付け手段の他の構成例（その１）を示す斜視図である。
【図１０】締め付け手段の他の構成例（その２）を示す斜視図である。
【図１１】従来の取付金具の構成を示す図である。
【発明を実施するための形態】
【００２４】
以下、本発明に係る取付金具を実施するための形態を、図を参照して説明する。
【００２５】
図１は、本発明の第１の実施の形態の取付金具１００の構成を示す分解図である。また、図２は、取付金具１００の締め付け動作を示す図である。図３は、締め付け後の取付金具１００の上から見た図である。
【００２６】
図１に示すように、取付金具１００は、金具本体１０と、締め付け手段２０とを備える。ここで、取付対象となる棒状材は、寸切りボルトＢとなる。
【００２７】
金具本体１０は、板材から板金加工で形成され、第一板状部１１、該第一板状部１１に対して略平行に位置する第二板状部１２、および第一板状部１１と第二板状部１２を連結する連結部１３を有し断面略コ字形状に形成され、第一板状部１１および第二板状部１２の対向する両端（図面中の上端と下端）に連結部１３側の中央に向かって傾斜する一対の傾斜部１１ａ，１１ｂ，１２ａ，１２ｂを有する。この傾斜部１１ａ，１１ｂ，１２ａ，１２ｂは切り込みにより形成される。また、傾斜部１１ａ，１１ｂ，１２ａ，１２ｂの傾斜角度は、５〜３０度であり、好ましくは１０〜２５度である。この例において、傾斜角度を１５度とする。なお、連結部１３を曲面状に形成するようにしてもよい。
【００２８】
また、第一板状部１１と第二板状部１２間の幅は、取付対象となる棒状材、この例では、寸切りボルトＢの外径に合わせて設計される。なお、径違い寸切りボルトＢに対応できるように最大寸法に合わせて設計されるようにしてもよい。例えば、第一板状部１１と第二板状部１２間の幅を１３ｍｍにすることで、Ｍ８、Ｍ１０、Ｍ１２、３／８、１／２の寸切りボルトＢに適合可能である。
【００２９】
また、金具本体１０の第一板状部１１は、第二板状部１２より長く形成されている。この第一板状部１１には、被取付物を取り付けるための取付穴１４が設けられている。取付穴１４の位置、数およびピッチ等は被取付物に合わせて設計される。なお、第一板状部１１と第二板状部１２をともに長く形成し、取付穴１４を設けるようにしてもよい。
【００３０】
締め付け手段２０は、ネジ締めにより傾斜部１１ａ，１１ｂ，１２ａ，１２ｂに沿って移動し、金具本体１０の内側に嵌め込まれた寸切りボルトＢに締め付け金具本体１０を固定させるものである。この締め付け手段２０は、一対の締め付け部材２１，２２と、ボルト２３と、ナット２４とからなる。締め付け部材２１，２２は、締め付け刃２１ａ，２２ａおよびスライド部２１ｂ，２２ｂを有する。この締め付け部材２１，２２は、両端２２ｄを折り曲げてコ字形状に形成された本体部材の内側に締め付け刃２１ａ，２２ａとスライド部２１ｂ，２２ｂを構成する板状部材が第一板状部１１および第二板状部１２の傾斜部１１ａ，１１ｂ，１２ａ，１２ｂに対応する角度で傾斜設置されて、かつ略中央部にボルト２３を挿通するための穴が設けられて構成される。また、締め付け部材２１，２２のコ字形状に形成された本体部材は、第一板状部１１と第二板状部１２間にまたがるように一定の幅に形成され、折り曲げた端２２ｄの端面は斜めに形成され、折り曲げた端２２ｄの内側の面はガイド面２２ｅとなる。スライド部２１ｂ，２２ｂは、傾斜部１１ａ，１１ｂ，１２ａ，１２ｂに沿って移動可能である。また、スライド部２１ｂ，２２ｂには本体部材に固定するための差し込み部２１ｆ，２２ｆを有する。なお、締め付け部材２１と２２は同様の構成を有する。
【００３１】
締め付けの際に、締め付け手段２０は、ネジ締めにより傾斜部１１ａ，１１ｂ，１２ａ，１２ｂに沿って移動し、寸切りボルトＢに締め付け、金具本体１０を寸切りボルトＢに固定させる。
【００３２】
また、ナット２４は、溶接等の方法で締め付け部材２２に固定される。これにより、締め付け部材２２とナット２４を一緒に装着することができ、締め付けの際にナット２４を押さえずに、レンチ（例えば、ラチェットレンチ）１本でボルト２３を回すだけで効率よく締め付けることが可能であり、作業性を著しく向上することができる。
【００３３】
次に、取付金具１００の締め付け動作について、図２、図３を参照しながら説明する。図２は、取付金具１００の締め付け動作を示す図である。締め付け後の取付金具１００の上から見た図である。
【００３４】
図２（ａ）は、取付金具１００の締め付け開始時の状態を示す図である。図２（ａ）に示すように、取付金具１００の金具本体１０を寸切りボルトＢを抱きかかえるように配置して、締め付け部材２１，２２を第一板状部１１および第二板状部１２の対向する両端の傾斜部１１ａ，１１ｂ，１２ａ，１２ｂの開始端に位置するように、締め付け手段２０を金具本体１０に装着する。
【００３５】
図２（ｂ）は、取付金具１００の締め付け中の状態を示す図である。図２（ｂ）に示すように、傾斜部１１ａ，１１ｂ，１２ａ，１２ｂがレールとなり、締め付けの際に、締め付け手段２０は、ネジ締めにより傾斜部１１ａ，１１ｂ，１２ａ，１２ｂに沿って寸切りボルトＢが配置される側へ移動する。
【００３６】
図２（ｃ）は、取付金具１００の締め付け完了の状態を示す図である。図２（ｃ）に示すように、締め付け手段２０のボルト２３を締めていくと、ネジ締めにより締め付け手段２０が傾斜部１１ａ，１１ｂ，１２ａ，１２ｂに沿って移動することで、締め付け刃２１ａ，２２ａが寸切りボルトＢに突き当たり移動がストップする。最終的に締め付け刃２１ａ，２２ａが寸切りボルトＢに食い込むようになり、寸切りボルトＢに締め付け、金具本体１０を寸切りボルトＢに固定させる（図３参照）。
【００３７】
図４は、取付金具１００の使用例を示す図である。図４に示すように、天井裏のスペースにある天井吊り下げ用寸切りボルトＢに取付金具１００を取付ている。取付金具１００の第一板状部１１には、通信機器等が取り付けられている。寸切りボルトＢの下端は天井に固定している。この場合、天井裏のスペースが狭いが、取付金具１００を用いてボルト２３だけを締めることで取り付けることができる。
【００３８】
このように本実施の形態においては、取付金具１００は、金具本体１０と、締め付け手段２０とを備える。金具本体１０は、第一板状部１１、該第一板状部１１に対して略平行に位置する第二板状部１２、および第一板状部１１と第二板状部１２を連結する連結部１３を有し断面略コ字形状に形成され、第一板状部１１および第二板状部１２の対向する両端（図面中の上端と下端）に連結部１３側の中央に向かって傾斜する一対の傾斜部１１ａ，１１ｂ，１２ａ，１２ｂを有する。締め付け手段２０は、一対の締め付け部材２１，２２と、ボルト２３と、ナット２４とからなり、締め付け部材２１，２２は、ネジ締めにより傾斜部１１ａ，１１ｂ，１２ａ，１２ｂに沿って移動し、金具本体１０の内側に嵌め込まれた寸切りボルトＢに締め付け金具本体１０を固定させる。
【００３９】
これにより、部品点数が少なく、締め付けネジを極端に減らし、取付作業を容易に行うことができ、作業効率のアップを図ることができる。かつ異なる寸法の棒状材（寸切りボルトＢ）に対応できる。また、取付位置の調整も容易にできる。
【００４０】
また、金具本体１０は所定の幅を有することで、寸切りボルトＢとの接触面が長いため、棒状材に強固に連結することができると共に、横に出す長さを長くしてもたるまず、従来の取付金具より耐荷重性能が向上された。また、取り付ける対象である吊り下げ用寸切りボルトＢの径寸法が異なる場合にも対応できる。
【００４１】
図５は、本発明の第２の実施の形態の取付金具１００Ａの構成を示す斜視図である。図５において、取付金具１００Ａの締め付け手段２０が装着される前の状態を示している。
【００４２】
図５に示すように、取付金具１００Ａは、板装着部を有すること以外に、上述した第１の実施の形態の取付金具１００と同様の構成を有する。
【００４３】
図５に示すように、取付金具１００Ａは、金具本体１０Ａと、締め付け手段２０とを備える。取付金具１００Ａにおいて、金具本体１０Ａの第一板状部１１および第二板状部１２の対向する両端部に外側へ第一板状部１１および第二板状部１２に対して９０度に折り曲げられた板装着部１５，１６を有する。板装着部１５，１６の上面は、第一板状部１１および第二板状部１２の上端と同じ高さとされる。また、板装着部１５，１６には、取付穴１５ａ，１６ａが設けられている。
【００４４】
図６は、取付金具１００Ａの使用例を示す斜視図である。図６に示すように、取付金具１００Ａには、アンテナ等を取り付けるためのアンテナ取付プレート３０がネジ３１で板装着部１５，１６に固定されている。アンテナ取付プレート３０には、アンテナ等を取り付けるための穴３２，３３が設けられている。また、アンテナ４０はネジ（図示せず）でアンテナ取付プレート３０に取り付けられている。また、取付金具１００Ａの第一板状部１１には、通信機器５０が取り付けられている。これにより、水平方向および垂直方向ともにアンテナや通信機器を設置することができる。なお、アンテナ取付プレート３０において板装着部１５，１６に固定する部分の付近には切り込み部を形成しこの切り込み部を下方に折り曲げて取付金具１００Ａの端部（連結部１３）に当たるように形成することで、アンテナ取付プレート３０のたるみを防止することができる。
【００４５】
このように本実施の形態においては、取付金具１００Ａは、金具本体１０Ａと、締め付け手段２０とを備える。金具本体１０Ａは、第一板状部１１、該第一板状部１１に対して略平行に位置する第二板状部１２、および第一板状部１１と第二板状部１２を連結する連結部１３を有し断面略コ字形状に形成され、第一板状部１１および第二板状部１２の対向する両端（図面中の上端と下端）に連結部１３側の中央に向かって傾斜する一対の傾斜部１１ａ，１１ｂ，１２ａ，１２ｂを有し、さらに、板装着部１５，１６を有する。締め付け手段２０は、一対の締め付け部材２１，２２と、ボルト２３と、ナット２４とからなり、締め付け部材２１，２２は、ネジ締めにより傾斜部１１ａ，１１ｂ，１２ａ，１２ｂに沿って移動し、金具本体１０Ａの内側に嵌め込まれた寸切りボルトＢに締め付け金具本体１０Ａを固定させる。
【００４６】
これにより、第２の実施の形態の取付金具１００Ａは、上述した第１の実施の形態と同様の効果が得られると共に、板装着部１５，１６を有することで、アンテや通信機器を装着する板を水平に設置することができることができる。
【００４７】
図７は、本発明の第３の実施の形態の取付金具１００Ｂの構成を示す斜視図である。取付金具１００Ｂは、１枚の板に２つの締め付け部を有するものである。
【００４８】
図７に示すように、取付金具１００Ｂは、金具本体１０Ｂと、２つの締め付け手段２０とを備える。
【００４９】
金具本体１０Ｂは、板材から板金加工で形成され、第一板状部１１Ｂ、該第一板状部１１Ｂに対して略平行に位置する第二板状部１２Ｂ、および第一板状部１１Ｂと第二板状部１２Ｂを連結する連結部１３Ｂを有し断面略コ字形状に形成され、第一板状部１１Ｂおよび第二板状部１２Ｂの対向する両端（図面中の上端と下端）に連結部１３Ｂ側の中央に向かって傾斜する一対の傾斜部１１ａ，１１ｂ，１２ａ，１２ｂを有する。また、第一板状部１１Ｂと第二板状部１２Ｂ間の幅は、取付対象となる棒状材、この例では、寸切りボルトＢの直径に合わせて設計される。なお、径違い寸切りボルトＢに対応できるように最大寸法に合わせて設計されるようにしてもよい。
【００５０】
また、金具本体１０Ｂの第一板状部１１Ｂは、第二板状部１２Ｂより長く形成されている。この第一板状部１１Ｂには、被取付物を取り付けるための取付穴１４が設けられている。なお、金具本体１０Ｂの重量を減らすために第一板状部１１Ｂの中央部に開口部Ｐを設けても良い。
【００５１】
締め付け手段２０は、一対の締め付け部材２１，２２と、ボルト２３と、ナット２４とからなる。締め付け部材２１，２２は、締め付け刃２１ａ，２２ａおよびスライド部２１ｂ，２２ｂを有する。この締め付け部材２１，２２は、コ字形状に形成された本体部材の内側に締め付け刃２１ａ，２２ａとスライド部２１ｂ，２２ｂを構成する板状部材が第一板状部１１Ｂおよび第二板状部１２Ｂの傾斜部１１ａ，１１ｂ，１２ａ，１２ｂに対応する角度で傾斜設置されて、かつ略中央部にボルト２３を挿通するための穴が設けられて構成される。スライド部２１ｂ，２２ｂは、傾斜部１１ａ，１１ｂ，１２ａ，１２ｂに沿って移動可能である。
【００５２】
締め付けの際に、２つの締め付け手段２０のボルト２３をそれぞれ締めていくと、ネジ締めにより締め付け手段２０が傾斜部１１ａ，１１ｂ，１２ａ，１２ｂに沿って移動し、寸切りボルトＢに締め付け、金具本体１０Ｂを寸切りボルトＢに固定させる。また、ナット２４は、締め付け部材２２に固定されている。これにより、締め付け部材２２とナット２４を一緒に装着することができ、締め付けの際にナット２４を押さえずに、ボルト２３を回すだけで効率よく締め付けることが可能である。
【００５３】
図８は、取付金具１００Ｂの使用例を示す斜視図である。図８に示すように、取付金具１００Ｂには、アンテナ等を取り付けるためのアンテナ取付プレート３０Ａが板装着部１５，１６に固定されている。アンテナ取付プレート３０Ａの下方には、支持板３０Ｂが傾斜方向に取り付けられ、支持板３０Ｂの上端はアンテナ取付プレート３０Ａに固定され、下端は板装着部１５，１６に固定されている。ここで、アンテナ取付プレート３０Ａに取り付けたアンテナ、および第一板状部１１Ｂに取り付けた通信機器を省略した。
【００５４】
このように本実施の形態においては、取付金具１００Ｂは、金具本体１０Ｂと、２つの締め付け手段２０とを備える。金具本体１０Ｂは、第一板状部１１Ｂ、該第一板状部１１Ｂに対して略平行に位置する第二板状部１２Ｂ、および第一板状部１１Ｂと第二板状部１２Ｂを連結する連結部１３Ｂを有し断面略コ字形状に形成され、第一板状部１１Ｂおよび第二板状部１２Ｂの対向する両端（図面中の上端と下端）に連結部１３Ｂ側の中央に向かって傾斜する一対の傾斜部１１ａ，１１ｂ，１２ａ，１２ｂを有する。締め付け手段２０は、一対の締め付け部材２１，２２と、ボルト２３と、ナット２４とからなり、締め付け部材２１，２２は、ネジ締めにより傾斜部１１ａ，１１ｂ，１２ａ，１２ｂに沿って移動し、金具本体１０Ｂの内側に嵌め込まれた寸切りボルトＢに締め付け金具本体１０Ｂを固定させる。
【００５５】
これにより、第３の実施の形態の取付金具１００Ｂは、上述した第２の実施の形態と同様の効果が得られると共に、アンテナや通信機器を装着する面積が大きくなり、機器取り付け用穴のピッチを大きくすることができる。また、上下２箇所で固定することで、比較的に重い機器等を設置することができる。
【００５６】
また、上下ともに板装着部１５，１６を設けることで、取付方向に関係なく、板を水平に設置することができる。
【００５７】
図９は、締め付け手段の他の構成例（その１）を示す斜視図である。図９に示すように、締め付け手段２０Ａは、一対の締め付け部材２１Ａ，２２Ａと、ボルト２３と、ナット２４とからなる。締め付け部材２１Ａ，２２Ａは、樹脂で成型された本体に金属製の締め付け刃２１ａ，２２ａを設けるものである。樹脂で成型された本体にはスライド部２１ｂ，２２ｂを有する。スライド部２１ｂ，２２ｂは、溝である。溝の深さ方向は、第一板状部１１および第二板状部１２の傾斜部１１ａ，１１ｂ，１２ａ，１２ｂに対応する角度で形成され、傾斜部１１ａ，１１ｂ，１２ａ，１２ｂに沿って移動可能である。また、ナット２４は、接着等の方法で締め付け部材２２Ａに固定されている。
【００５８】
このように締め付け部材２１Ａ，２２Ａは、樹脂から成型されたスライド部２１ｂ，２２ｂに金属からなる締め付け刃２１ａ，２２ａが設けられてからなることで、取付金具の小型化および量産が容易にできる。
【００５９】
図１０は、締め付け手段の他の構成例（その２）を示す斜視図である。図１０に示すように、締め付け手段２０Ｂは、一対の締め付け部材２１Ｂ，２２Ｂと、ボルト２３と、ナット２４とからなる。締め付け部材２１Ｂ，２２Ｂは、一枚の金属板から形成され、締め付け刃２１ａ，２２ａおよび折り曲げ部２１ｇ，２１ｈ，２２ｇ，２２ｈの切り溝からなるスライド部２１ｃ，２２ｃを有するものである。また、ナット２４は、溶接等の方法で締め付け部材２２Ｂに固定されている。この場合、締め付け部材２１Ｂ，２２Ｂの製作コストの削減を図ることができる。
【００６０】
なお、上述実施の形態においては、取付金具１００，１００Ａ，１００Ｂの取付対象として寸切りボルトＢを用いて説明したが、これに限定されるものではない。他の棒状材料、例えば角パイプ、丸棒などにも本発明の取付金具１００，１００Ａ，１００Ｂを利用することが可能である。
【００６１】
また、上述実施の形態においては、金具本体１０，１０Ａ，１０Ｂが、板材を折り曲げて断面略コ字形状に形成されるものについて説明したが、これに限定されるものではない。例えば、樹脂、金属等材料から成型するようにしてもよい。
【００６２】
また、上述実施の形態においては、ナット２４は、締め付け部材２２に固定されているものについて説明したが、これに限定されるものではない。例えば、ナット２４と締め付け部材２２を一体に成型されるようにしてもよい。
【００６３】
また、上述実施の形態においては、取付金具１００，１００Ａ，１００Ｂの被取付物として、携帯電話やモバイル型パーソナルコンピュータ等が通信するためのアンテナや通信機器を説明したが、これに限定されるものではない。
【産業上の利用可能性】
【００６４】
この発明は、棒状材及び角状材等に簡単に取り付けることができ、機器等を設置することができる取付金具を提供する目的に利用できる。
【符号の説明】
【００６５】
１０，１０Ａ，１０Ｂ  金具本体
１１，１１Ｂ  第一板状部
１２，１２Ｂ  第二板状部
１３，１３Ｂ  連結部
１４，１５ａ，１６ａ  取付穴
１５，１６  板装着部
１１ａ，１１ｂ，１２ａ，１２ｂ  傾斜部
２０，２０Ａ，２０Ｂ  締め付け手段
２１，２１Ａ，２１Ｂ，２２，２２Ａ，２２Ｂ  締め付け部材
２１ａ，２２ａ  締め付け刃
２１ｂ，２２ｂ，２１ｃ，２２ｃ  スライド部
２１ｇ，２１ｈ，２２ｇ，２２ｈ  折り曲げ部
２１ｆ，２２ｆ  差し込み部
２２ｄ  折り曲げた端
２２ｅ  ガイド面
２３  ボルト
２４  ナット
３０  アンテナ取付プレート
３１  ネジ
３２，３３  穴
４０  アンテナ
５０  通信機器
１００，１００Ａ，１００Ｂ  取付金具
Ｂ  寸切りボルト
Ｐ  開口
【図１】
2010278673.tif 000003
【図２】
2010278673.tif 000004
【図３】
2010278673.tif 000005
【図４】
2010278673.tif 000006
【図５】
2010278673.tif 000007
【図６】
2010278673.tif 000008
【図７】
2010278673.tif 000009
【図８】
2010278673.tif 000010
【図９】
2010278673.tif 000011
【図１０】
2010278673.tif 000012
【図１１】
2010278673.tif 000013
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
棒状材に着脱自在に緊結される取付金具であって、
第一板状部、該第一板状部に対して略平行に位置する第二板状部、および前記第一板状部と第二板状部を連結する連結部を有し断面略コ字形状に形成され、前記第一板状部および第二板状部の対向する両端に前記連結部側の中央に向かって傾斜する一対の傾斜部を有する金具本体と、
ネジ締めにより前記傾斜部に沿って移動し、前記金具本体の内側に嵌め込まれた前記棒状材に前記金具本体を固定させる締め付け手段とを備えることを特徴とする取付金具。
【請求項２】
前記締め付け手段は、ボルトと、ナットと、前記ボルトが挿通され、前記傾斜部に沿って移動可能なスライド部および締め付け刃を有する一対の締め付け部材とからなることを特徴とする請求項１に記載の取付金具。
【請求項３】
前記締め付け部材は、樹脂から成型されたスライド部に金属製の締め付け刃が設けられてからなることを特徴とする請求項２に記載の取付金具。
【請求項４】
前記金具本体の第一板状部および第二板状部の対向する両端に外側へ前記第一板状部および第二板状部に対して９０度に折り曲げられた板装着部を有することを特徴とする請求項１ないし３のいずれかに記載の取付金具。
【請求項５】
前記金具本体の第一板状部または第二板状部には、被取付物を取り付けるための取付穴が設けられていることを特徴とする請求項１ないし４のいずれかに記載の取付金具。
【手続補正２】
【補正対象書類名】明細書
【補正対象項目名】００１３
【補正方法】変更
【補正の内容】
【００１３】
上記課題を解決するため、本発明に係る取付金具は、棒状材に着脱自在に緊結される取付金具であって、第一板状部、該第一板状部に対して略平行に位置する第二板状部、および前記第一板状部と第二板状部を連結する連結部を有し断面略コ字形状に形成され、前記第一板状部および第二板状部の対向する両端に前記連結部側の中央に向かって傾斜する一対の傾斜部を有する金具本体と、ネジ締めにより前記傾斜部に沿って移動し、前記金具本体の内側に嵌め込まれた前記棒状材に前記金具本体を固定させる締め付け手段とを備えることを特徴とするものである。